(57)【要約】【課題】故障部位の早期特定、故障要因の特定、故障部位の復旧を容易にすることができるプラント制御装置を得る。【解決手段】ＣＰＵが２重化された待機冗長システムのプラント制御装置であって、前記ＣＰＵから送信されてきた故障情報に基づいて、故障が発生した系と前記故障の程度を示すグラフィックボタンを描画させた初期画面であるシステム状態監視画面（図４）を表示し、前記システム状態監視画面上の前記グラフィックボタンがタッチ操作されると、実際の盤ラックアップをグラフィックに描画し前記故障情報に基づき盤ラックアップの故障部位を色変わりさせた盤ラックアップ監視画面（図５）を表示するグラフィックパネル２１を設けた。【選択図】図１
2005346377.tif 000002
【特許請求の範囲】
【請求項１】
ＣＰＵが２重化された待機冗長システムのプラント制御装置であって、
前記ＣＰＵから送信されてきた故障情報に基づいて、故障が発生した系と前記故障の程度を示すグラフィックボタンを描画させた初期画面であるシステム状態監視画面を表示し、前記システム状態監視画面上の前記グラフィックボタンがタッチ操作されると、実際の盤ラックアップをグラフィックに描画し前記故障情報に基づき盤ラックアップの故障部位を色変わりさせた盤ラックアップ監視画面を表示するグラフィックパネル
を備えたことを特徴とするプラント制御装置。
【請求項２】
前記グラフィックパネルは、前記盤ラックアップ監視画面上の色変わりした故障部位であるＣＰＵユニットがタッチ操作されると、実際のＣＰＵユニット内のカード配列をグラフィックに描画し前記故障情報に基づきＣＰＵユニット内の故障部位を色変わりさせたＣＰＵカード配置画面を表示するとともに、
前記盤ラックアップ監視画面上の色変わりした故障部位であるＰＩＯがタッチ操作されると、実際のＰＩＯ配列をグラフィックに描画し前記故障情報に基づきＰＩＯ配列の故障部位を色変わりさせたＰＩＯモジュール配置画面を表示する
ことを特徴とする請求項１記載のプラント制御装置。
【請求項３】
前記グラフィックパネルは、前記ＣＰＵカード配置画面上の色変わりした故障部位である所定のカードがタッチ操作されると、ＣＰＵの異常要因の一覧を複数のグラフィックボタンで描画し前記故障情報に基づき該当するグラフィックボタンを色変わりさせたＣＰＵ異常詳細要因画面を表示するとともに、
前記ＰＩＯモジュール配置画面上の所定のグラフィックボタンと色変わりした故障部位である所定のモジュールがタッチ操作されると、該当ＰＩＯモジュールの詳細な故障要因を記述しているＰＩＯ故障詳細要因画面を表示する
ことを特徴とする請求項２記載のプラント制御装置。
【請求項４】
前記グラフィックパネルは、前記ＰＩＯモジュール配置画面上の色変わりした故障部位である所定のモジュールがタッチ操作されると、該当ＰＩＯモジュールの故障復旧手順のガイダンスを記述しているＰＩＯ故障復旧手順画面を表示する
ことを特徴とする請求項２記載のプラント制御装置。
【請求項５】
前記グラフィックパネルは、各画面上の故障履歴のグラフィックボタンがタッチ操作されると、故障が発生している故障履歴は第１の色で表示され、故障が復旧している故障履歴は第２の色で表示されている故障履歴画面を表示する
ことを特徴とする請求項１から請求項４までのいずれかに記載のプラント制御装置。
【請求項６】
前記システム状態監視画面上にイーサネット（登録商標）通信の状態を表す通信異常のグラフィックボタンを設け、
前記グラフィックパネルは、ＣＰＵユニット内のＣＰＵカードが重故障時、前記システム状態監視画面上の前記通信異常のグラフィックボタンを色変わりさせるとともに、前記システム状態監視画面上にＣＰＵカードの重故障時の故障復旧手順のガイダンスを表示する
ことを特徴とする請求項１記載のプラント制御装置。
【請求項７】
前記グラフィックパネルは、各画面上の取説のグラフィックボタンがタッチ操作されると、取扱説明書を表示した取説画面を表示する
ことを特徴とする請求項１から請求項５までのいずれかに記載のプラント制御装置。
【発明の詳細な説明】
【技術分野】
【０００１】
この発明は、火力発電などのプラントを監視制御するプラント制御装置に関し、特に、該制御装置を構成する各種の盤、カード、モジュールなどに故障が発生した場合の故障表示を充実させ、故障表示の原因究明を容易にするプラント制御装置に関するものである。
【背景技術】
【０００２】
従来の制御装置は、モニタパネルで故障表示を行ったり、メンテナンスツールを接続し、パソコン画面でデータ収集並びにロジック系統図、記号文字の表示を行っている（例えば、特許文献１参照）。
【０００３】
【特許文献１】特開２００１−３５６８１６号公報
【発明の開示】
【発明が解決しようとする課題】
【０００４】
従来のモニタパネル上での表示の場合、複数の故障が表示されてしまい故障要因の復旧が困難な場合が発生するという問題点があった。
【０００５】
また、メンテナンスツール上ではロジック系統図または記号文字の表示であり、プラント制御装置内の故障発生部位の特定が実物のイメージ個所でわからない為、誤って異なった部位を復旧操作してしまう可能性があるという問題点があった。
【０００６】
この発明は、上述のような課題を解決するためになされたもので、その目的は、故障部位の早期特定、故障要因の特定、故障部位の復旧を容易にすることができるプラント制御装置を得るものである。
【課題を解決するための手段】
【０００７】
この発明に係るプラント制御装置は、ＣＰＵが２重化された待機冗長システムのプラント制御装置であって、前記ＣＰＵから送信されてきた故障情報に基づいて、故障が発生した系と前記故障の程度を示すグラフィックボタンを描画させた初期画面であるシステム状態監視画面を表示し、前記システム状態監視画面上の前記グラフィックボタンがタッチ操作されると、実際の盤ラックアップをグラフィックに描画し前記故障情報に基づき盤ラックアップの故障部位を色変わりさせた盤ラックアップ監視画面を表示するグラフィックパネルを設けたものである。
【発明の効果】
【０００８】
この発明に係るプラント制御装置は、故障部位の早期特定、故障要因の特定、故障部位の復旧を容易にすることができるという効果を奏する。
【発明を実施するための最良の形態】
【０００９】
実施の形態１．
この発明の実施の形態１に係るプラント制御装置について図１から図５までを参照しながら説明する。図１は、この発明の実施の形態１に係るプラント制御装置のシステム構成を示す図である。また、図２は、この発明の実施の形態１に係るプラント制御装置の盤ラックアップの概略を示す図である。なお、各図中、同一符号は同一又は相当部分を示す。
【００１０】
図１において、この実施の形態１に係るプラント制御装置は、共通電源１０と、メンテナンスパネル２０と、Ａ系ＣＰＵユニット３０Ａと、Ｂ系ＣＰＵユニット３０Ｂと、複数のＰＩＯ４０とが設けられている。
【００１１】
メンテナンスパネル２０には、正面にグラフィックパネル２１が設けられ、このグラフィックパネル２１にイーサネット（登録商標）ＨＵＢ２２が接続されている。このグラフィックパネル２１は、表示データを表示したり、画面からのタッチ操作を入力したりする表示入力部、全ての表示データを記憶するデータ記憶部、データ記憶部に記憶された表示データを更新したりするデータ管理部、データ記憶部に記憶された表示データを表示入力部で表示させたりする制御を行う表示制御部等を有する。データ記憶部には、全ての盤、カード、モジュール等の機器に１対１に対応する点盤情報が記憶されており、点盤情報が例えば「０」の場合は対応する盤、カード、モジュールのグラフィックイメージの表示色が「緑色」、「１」の場合には表示色が「赤色」を表示する。表示色の緑色、赤色が逆でもよいし、他の識別できる２色でもよい。これら表示入力部、データ記憶部、データ管理部、及び表示制御部は図示していない。
【００１２】
Ａ系ＣＰＵユニット３０Ａには、ＣＰＵやメモリが実装されたＣＰＵカード３１Ａと、イーサネット（登録商標）Ｉ／Ｆカード３２Ａと、ＰＩＯＩ／Ｆカード３３Ａとが設けられている。また、Ｂ系ＣＰＵユニット３０ＢもＡ系ＣＰＵユニット３０Ａと同様である。
【００１３】
図２において、正面からみて左側のＣＰＵ盤にはメンテナンスパネル２０や、Ａ系ＣＰＵユニット３０Ａ、Ｂ系ＣＰＵユニット３０Ｂなどが設けられている。右側のＰＩＯ盤には複数のＰＩＯ４０などが設けられている。
【００１４】
つぎに、この実施の形態１に係るプラント制御装置の動作について図面を参照しながら説明する。
【００１５】
図３は、この発明の実施の形態１に係るプラント制御装置のグラフィックパネルの表示画面遷移を示す図である。また、図４は、この発明の実施の形態１に係るプラント制御装置のグラフィックパネルのシステム状態監視画面の表示例を示す図である。さらに、図５は、この発明の実施の形態１に係るプラント制御装置のグラフィックパネルの盤ラックアップ監視画面の表示例を示す図である。
【００１６】
図１に示すように、メンテナンスパネル２０内にグラフィックパネル２１を設置し、ＣＰＵが２重化されたプラント制御装置のシステム状態表示、及び故障表示を、Ａ系及びＢ系のＣＰＵユニット３０Ａ、３０Ｂ内に実装されているイーサネット（登録商標）Ｉ／Ｆカード３２Ａ、３２Ｂとイーサネット（登録商標）ＨＵＢ２２を通じて、グラフィックパネル２１で実施する。
【００１７】
図３（ａ）〜（ｄ）に示すように、グラフィックパネル２１内の表示展開は、初期画面である『システム状態監視画面』から始まって、『盤ラックアップ監視画面』、『ＣＰＵカード配置画面』、『ＰＩＯモジュール配置画面』などである。
【００１８】
『システム状態監視画面』は、当該ＣＰＵでの故障の程度を表示する。また、いずれの系で故障発生したかを表示する。また、『盤ラックアップ監視画面』は、故障発生部位を盤ラックアップイメージで表示する。『ＣＰＵカード配置画面』は、故障発生カードをカード実装イメージで表示する。『ＰＩＯモジュール配置画面』は、故障発生ＰＩＯをＰＩＯ配列イメージで表示する。なお、『ＣＰＵカード配置画面』と『ＰＩＯモジュール配置画面』の詳細については、後述する実施の形態で説明する。
【００１９】
図４の『システム状態監視画面』において、システム重故障時、グラフィックボタン『システム重故障』の表示の色を緑から赤へ変化させる。その故障情報は、例えばＢ系が故障しているときには、Ａ系の、ＣＰＵカード３１Ａ→イーサネット（登録商標）Ｉ／Ｆカード３２Ａ→イーサネット（登録商標）ＨＵＢ２２→グラフィックパネル２１へ通知され、この故障情報に基づきグラフィックパネル２１のデータ管理部により、データ記憶部に記憶された対応する点盤情報が「０」から「１」へ更新されることで、グラフィック表示の色変えを実現する。
【００２０】
また、図４に示す、Ａ系、Ｂ系のグラフィックボタン『制御』、『待機』、『除外』、『重故障』、『軽故障』、『通信異常』等の表示についても、同様な手法で、それぞれの状態を色変えで表示させる。図４の『システム状態監視画面』から図５の『盤ラックアップ監視画面』への画面遷移は、『システム状態監視画面』のＡ系、Ｂ系の色変わりしたグラフィックボタン『重故障』、あるいは『軽故障』のタッチ操作によりグラフィックパネル２１が行う。
【００２１】
図２に示す実際の盤ラックアップのイメージを、図５に示すようにグラフィック表示し、異常発生時、異常個所を緑から赤へ変化させる。その故障情報は、例えばＢ系が故障しているときには、Ａ系の、ＣＰＵカード３１Ａ→イーサネット（登録商標）Ｉ／Ｆカード３２Ａ→イーサネット（登録商標）ＨＵＢ２２→グラフィックパネル２１へ通知され、この故障情報に基づきグラフィックパネル２１のデータ管理部により、データ記憶部に記憶された対応する点盤情報が「０」から「１」へ更新されることで、グラフィック表示の色変えを実現する。
【００２２】
例として、Ａ系のＣＰＵユニット３０Ａが異常時、図５のグラフィックイメージ『ＣＰＵ  Ａ』の表示が緑から赤へ色変わりする。
【００２３】
従来のモニタパネルやメンテナンスツールで表示していなかった、状態表示、盤ラックアップイメージでの故障部位をグラフィック表示することによって、故障部位の早期特定が、メンテナンスツールのロジック系統図をいちいち追うことなく一目で可能となる。
【００２４】
すなわち、この実施の形態１は、待機冗長システムのプラント制御装置において、ＣＰＵが２重化された該制御装置の構成機器の状態、故障を表示させる為のグラフィックパネル２１を備え、該制御装置の構成機器の状態変化（図４）、並びに故障発生時、実際の該制御装置の盤ラックアップイメージ（図５）をグラフィックパネル２１に表示させ、状態表示（図４）、並びに故障部位（図５）を色変わりさせ、故障部位を早期に特定できるものである。
【００２５】
実施の形態２．
この発明の実施の形態２に係るプラント制御装置について図６及び図７を参照しながら説明する。図６は、この発明の実施の形態２に係るプラント制御装置のグラフィックパネルのＣＰＵカード配置画面の表示例を示す図である。また、図７は、この発明の実施の形態２に係るプラント制御装置のグラフィックパネルのＰＩＯモジュール配置画面の表示例を示す図である。
【００２６】
上記の実施の形態１では、状態表示（図４）、並びに故障部位を実際の盤ラックアップイメージ（図５）でグラフィック表示することについて説明したが、この実施の形態２では、さらに、図５に示す盤ラックアップの色変わりしたグラフィックイメージ『ＣＰＵ  Ａ』や、『ＣＰＵ  Ｂ』の表示をタッチ操作することで、グラフィックパネル２１は、図６の『ＣＰＵカード配置画面』に示すように、実際のＣＰＵユニット３０Ａ、３０Ｂ内のカード配列のイメージをグラフィック表示し、異常時、異常個所を緑から赤へ変化させる。
【００２７】
同様に、図５に示す盤ラックアップの色変わりしたグラフィックイメージ『ＰＩＯ』の表示をタッチ操作することで、グラフィックパネル２１は、図７の『ＰＩＯモジュール配置画面』に示すように、実際のＰＩＯ配列のイメージをグラフィック表示し、異常時、異常個所を緑から赤へ変化させる。
【００２８】
その故障情報は、例えばＡ系の、ＣＰＵカード３１Ａ→イーサネット（登録商標）Ｉ／Ｆカード３２Ａ→イーサネット（登録商標）ＨＵＢ２２→グラフィックパネル２１へ通知され、この故障情報に基づきグラフィックパネル２１のデータ管理部により、データ記憶部に記憶された対応する点盤情報が「０」から「１」へ更新されることで、グラフィック表示の色変えを実現する。
【００２９】
図５に示すような盤ラックアップ、図６に示すようなＣＰＵユニット内のカード配列、図７に示すようなＰＩＯ配列の各イメージで故障部位をグラフィック表示することによって、故障部位の早期特定が、メンテナンスツールのロジック系統図をいちいち追うことなく可能となる。
【００３０】
すなわち、この実施の形態２は、グラフィックパネル２１の盤ラックアップレベルの故障部位をタッチ操作することにより、ＣＰＵユニット内のカード配列（図６）レベル、ＰＩＯモジュール配列（図７）レベルで故障部位を色変えすることで、故障部位を早期に特定することができる。
【００３１】
実施の形態３．
この発明の実施の形態３に係るプラント制御装置について図８から図１０までを参照しながら説明する。図８は、この発明の実施の形態３に係るプラント制御装置のグラフィックパネルのＣＰＵ異常詳細要因画面の表示例を示す図である。また、図９は、この発明の実施の形態３に係るプラント制御装置のグラフィックパネルのＰＩＯ故障詳細要因画面の表示例を示す図である。さらに、図１０は、この発明の実施の形態３に係るプラント制御装置のグラフィックパネルのＣＰＵ割込み重故障要因画面の表示例を示す図である。
【００３２】
上記の実施の形態２では、故障部位を実際のＣＰＵユニット内のカード配列（図６）、ＰＩＯ配列（図７）の盤内実装イメージでグラフィック表示することについて説明したが、この実施の形態３では、さらに、図６に示すＣＰＵユニット内のカード配列の色変わりしたグラフィックイメージ『ＣＰＵ／拡張カード』〜『電源カードＰＳ２』の表示をタッチ操作することで、グラフィックパネル２１は、図８の『ＣＰＵ異常詳細要因画面』に示すように、グラフィックボタン『ＲＯＭサム値異常』〜『電源異常』などのＣＰＵの異常要因の一覧を表示させ、該当の異常要因を緑から赤へ変化させる。
【００３３】
同様に、図７に示すＰＩＯ配列イメージのグラフィックボタン『ＰＩＯモジュール故障詳細』と、各モジュールを示す色変わりしたグラフィックイメージ『ＡＩ（０２）』〜『ＤＯ（１１）』の表示をタッチ操作することで、グラフィックパネル２１は、図９の『ＰＩＯ故障詳細要因画面』に示すように、該当ＰＩＯモジュールの詳細な故障要因の記述を表示させる。
【００３４】
更に、図８に示す『ＣＰＵ異常詳細要因画面』で、グラフィックボタン『割込み重故障』の表示をタッチ操作することで、グラフィックパネル２１は、図１０の『ＣＰＵ割込み重故障要因画面』に示すように、割込み重故障の詳細な故障要因の記述を表示させる。
【００３５】
ＣＰＵカード３１Ａ、３１Ｂは、各カード、モジュールより入力した故障情報を、例えばＡ系の、ＣＰＵカード３１Ａ→イーサネット（登録商標）Ｉ／Ｆカード３２Ａ→イーサネット（登録商標）ＨＵＢ２２→グラフィックパネル２１へ通知して、この故障情報に基づきグラフィックパネル２１のデータ管理部により、データ記憶部に記憶された対応する点盤情報が「０」から「１」へ更新されることで、詳細な故障要因のグラフィック表示の色変えを実現する。
【００３６】
ＣＰＵユニット３０Ａ、３０Ｂ内のカード配列、ＰＩＯ配列イメージで、故障部位をグラフィック表示しその部分をタッチ操作することによって、故障部位の要因の早期特定が可能となり、メンテナンスツールの接続を行うことも無く容易に可能となる。
【００３７】
すなわち、この実施の形態３は、グラフィックパネル２１上で、ＣＰＵユニット内のカード配列レベル、ＰＩＯのモジュール配列レベルで故障部位の色変された部分をタッチ操作することにより、詳細故障要因を表示し、故障発生要因を早期に特定することができる。
【００３８】
実施の形態４．
この発明の実施の形態４に係るプラント制御装置について図１１を参照しながら説明する。図１１は、この発明の実施の形態４に係るプラント制御装置のグラフィックパネルのＰＩＯ故障復旧手順画面の表示例を示す図である。
【００３９】
上記の実施の形態３では、故障部位の色変された部分をタッチすることにより、詳細故障要因を表示（図８〜図１０）することを説明したが、この実施の形態４では、図７に示すＰＩＯ配列イメージの色変わりしたグラフィックイメージ『ＡＩ（０２）』〜『ＤＯ（１１）』の表示をタッチ操作することで、グラフィックパネル２１は、図１１の『ＰＩＯ故障復旧手順画面』に示すように、該当異常ＰＩＯモジュールの故障復旧手順のガイダンスの記述を表示させ、故障復旧時間の短縮を実現する。
【００４０】
故障復旧において、復旧マニュアル手順書を見ることなく、グラフィックパネル２１の表示のみで故障復旧が可能となり、復旧時間の短縮が可能となる。
【００４１】
すなわち、この実施の形態４は、グラフィックパネル２１の色変わりした表示部をタッチすることで、詳細故障要因を表示展開していく機能に加え、故障部位、並びに詳細要因の確認後、さらに、故障要因の復旧手順のガイダンス表示機能をもったものである。詳細故障要因を表示し、更にグラフィックパネル２１をタッチ操作することで、故障の復旧手順のガイダンスを表示させることにより、取り扱い説明書を手元に準備すること無く、故障発生要因を早期に復旧することができる。
【００４２】
実施の形態５．
この発明の実施の形態５に係るプラント制御装置について図１２を参照しながら説明する。図１２は、この発明の実施の形態５に係るプラント制御装置のグラフィックパネルの故障履歴画面の表示例を示す図である。
【００４３】
上記の実施の形態２では、故障部位を実際のＣＰＵユニット内のカード配列（図６）、ＰＩＯ配列（図７）の盤内実装イメージでグラフィック表示することについて説明し、上記の実施の形態３では、故障部位の色変された部分をタッチすることにより、詳細故障要因を表示（図８〜図１０）することを説明したが、この実施の形態５では、複数の故障要因が発生している場合、各画面のグラフィックボタン『故障履歴』をタッチ操作することにより、グラフィックパネル２１は、図１２に示す『故障履歴画面』をグラフィックパネル２１に表示する。
【００４４】
なお、各画面のグラフィックボタン『システム状態』をタッチ操作することにより、図４に示す初期画面である『システム状態監視画面』をグラフィックパネル２１に表示する。
【００４５】
ＣＰＵカード３１Ａ、３１Ｂは、各カード、モジュールより入力した故障情報を、例えばＡ系の、ＣＰＵカード３１Ａ→イーサネット（登録商標）Ｉ／Ｆカード３２Ａ→イーサネット（登録商標）ＨＵＢ２２→グラフィックパネル２１へ通知して、この故障情報に基づきグラフィックパネル２１のデータ管理部により、データ記憶部に記憶された対応する点盤情報が「０」から「１」へ更新されることで、故障要因が発生している故障履歴を赤色で表示する。
【００４６】
また、故障復旧についても、その故障復旧情報をＣＰＵカード３１Ａ、３１Ｂ→イーサネット（登録商標）Ｉ／Ｆカード３２Ａ、３２Ｂ→イーサネット（登録商標）ＨＵＢ２２→グラフィックパネル２１へ通知して、点盤情報が「１」から「０」へ変化することに基づき、故障要因が復旧している故障履歴を青色で表示し、故障要因が復旧しているかどうか照合することかできる。
【００４７】
また、グラフィックボタン『消去』をタッチ操作された場合、故障要因がまだ残っている故障履歴表示を消去しないようにし、復旧できていない個所を容易に確認できるようにする。
【００４８】
故障発生履歴、並びに故障復旧履歴を表示することで、早期の故障発生の特定、並びに復旧の確認が容易となる。
【００４９】
すなわち、この実施の形態５は、故障発生時、故障発生履歴を表示させると共に、故障復旧履歴も表示させ、複数の異常が発生した場合についても、複数の故障要因に対する復旧の有無、並びに照合が可能となり、復旧項目、並びに未復旧個目が容易に判る。
【００５０】
実施の形態６．
この発明の実施の形態６に係るプラント制御装置について図４を参照しながら説明する。
【００５１】
上記の各実施の形態では、状態表示（図４）、並びに故障部位を実際の盤ラックアップイメージ（図５）でグラフィック表示したり、故障部位を実際のＣＰＵユニット内のカード配列（図６）、ＰＩＯ配列（図７）の盤内実装イメージでグラフィック表示したり、故障部位の色変された部分をタッチすることにより、詳細故障要因を表示（図８〜図１０）したりしている。しかし、ＣＰＵカード３１Ａ、３１Ｂが重故障時、イーサネット（登録商標）通信が停止してしまい、ＣＰＵ重故障となる要因をグラフィック表示できない為、この実施の形態６では、図４に示すように、グラフィックパネル２１の『システム状態監視画面』にイーサネット（登録商標）通信の状態を表すグラフィックボタン『通信異常』を設け、緑色から赤色で表示することで注意（イーサネット（登録商標）通信が停止していること）をうながすとともに、ＣＰＵのグラフィックボタン『重故障』を緑色から赤色で表示させ、故障復旧手順のガイダンス（ＮＯ．３）の表示を追加するようにした。
【００５２】
ＣＰＵカード３１Ａ、３１Ｂの重故障時の故障復旧手順を明確にし、早期特定並びに復旧の確認が容易となる。
【００５３】
すなわち、この実施の形態６は、ＣＰＵカード３１Ａ、３１Ｂが重故障時、通信が停止してしまい、グラフィック表示内容が正常に表示できない為、グラフィックパネル２１上にその旨ガイダンス、並びに通信異常を表示することにより、注意をうながす表示を行い、誤った情報を通知しないようにした。
【００５４】
実施の形態７．
この発明の実施の形態７に係るプラント制御装置について図１３を参照しながら説明する。図１３は、この発明の実施の形態７に係るプラント制御装置のグラフィックパネルの取説画面の表示例を示す図である。
【００５５】
上記の実施の形態４では、故障復旧手順のガイダンスを表示（図１１）することにより、故障復旧時間の短縮を実現することについて説明したが、この実施の形態７では、故障復旧時、故障復旧の対象となるカードや、モジュールなどの取扱説明書を見ることができるようにグラフィックパネル２１のデータ記憶部内に取扱説明書の情報を記憶する。
【００５６】
例えば、図７に示す『ＰＩＯモジュール配置画面』のグラフィックボタン『取説』（図７では図示せず）と、図７に示すＰＩＯ配列イメージの色変わりしたグラフィックイメージ『ＡＩ（０２）』〜『ＤＯ（１１）』の表示をタッチ操作することで、グラフィックパネル２１は、該当するカードや、モジュールなどの取扱説明書の内容が表示された図１３に示すような『取説画面』を表示する。
【００５７】
故障復旧において、取扱説明書を書棚等から探すことなく、グラフィックパネル２１内の取扱説明書を見ることで、故障復旧の確認、保守が容易となる。なお、上記の各画面にグラフィックボタン『取説』を設け、このグラフィックボタン『取説』をタッチ操作することにより、取扱説明書を表示した『取説画面』をグラフィックパネル２１に表示してもよい。
【図面の簡単な説明】
【００５８】
【図１】この発明の実施の形態１に係るプラント制御装置のシステム構成を示す図である。
【図２】この発明の実施の形態１に係るプラント制御装置の盤ラックアップの概略を示す図である。
【図３】この発明の実施の形態１に係るプラント制御装置のグラフィックパネルの表示画面遷移を示す図である。
【図４】この発明の実施の形態１に係るプラント制御装置のグラフィックパネルのシステム状態監視画面の表示例を示す図である。
【図５】この発明の実施の形態１に係るプラント制御装置のグラフィックパネルの盤ラックアップ監視画面の表示例を示す図である。
【図６】この発明の実施の形態２に係るプラント制御装置のグラフィックパネルのＣＰＵカード配置画面の表示例を示す図である。
【図７】この発明の実施の形態２に係るプラント制御装置のグラフィックパネルのＰＩＯモジュール配置画面の表示例を示す図である。
【図８】この発明の実施の形態３に係るプラント制御装置のグラフィックパネルのＣＰＵ異常詳細要因画面の表示例を示す図である。
【図９】この発明の実施の形態３に係るプラント制御装置のグラフィックパネルのＰＩＯ故障詳細要因画面の表示例を示す図である。
【図１０】この発明の実施の形態３に係るプラント制御装置のグラフィックパネルのＣＰＵ割込み重故障要因画面の表示例を示す図である。
【図１１】この発明の実施の形態４に係るプラント制御装置のグラフィックパネルのＰＩＯ故障復旧手順画面の表示例を示す図である。
【図１２】この発明の実施の形態５に係るプラント制御装置のグラフィックパネルの故障履歴画面の表示例を示す図である。
【図１３】この発明の実施の形態７に係るプラント制御装置のグラフィックパネルの取説画面の表示例を示す図である。
【符号の説明】
【００５９】
１０  共通電源、２０  メンテナンスパネル、２１  グラフィックパネル、２２  イーサネット（登録商標）ＨＵＢ、３０Ａ、３０Ｂ  ＣＰＵユニット、３１Ａ、３１Ｂ  ＣＰＵカード、３２Ａ、３２Ｂ  イーサネット（登録商標）Ｉ／Ｆカード、３３Ａ、３３Ｂ  ＰＩＯＩ／Ｆカード、４０  ＰＩＯ。
【図１】
2005346377.tif 000003
【図２】
2005346377.tif 000004
【図３】
2005346377.tif 000005
【図４】
2005346377.tif 000006
【図５】
2005346377.tif 000007
【図６】
2005346377.tif 000008
【図７】
2005346377.tif 000009
【図８】
2005346377.tif 000010
【図９】
2005346377.tif 000011
【図１０】
2005346377.tif 000012
【図１１】
2005346377.tif 000013
【図１２】
2005346377.tif 000014
【図１３】
2005346377.tif 000015